(57)【要約】【課題】  封緘面の耐圧強度を高めて封緘状態での膨らみを防止し、しかも容易に開封できるようにする。【解決手段】  内フラップ２７,２８の上に外フラップ２９,３０を折り重ね、この外フラップ２９,３０同士を糊付けして、封緘面となる上面板２６を構成する。表側の外フラップ３０には、２本の破断線３１,３１をフラップ根元側の両端部から先端側に向かって斜めに、かつ、円弧状にカーブして設けることにより、この両側破断線３１,３１に挟まれた部分３３を糊付けされないフリーな開封部分とし、この開封部分３３を破り取って開封するようにした。【選択図】        図２
2005178873.tif 000002
【特許請求の範囲】
【請求項１】
前面と背面と左右両側面と底面と上面の少なくとも一面について、一対ずつの内フラップと外フラップとを備え、かつ、両外フラップを一方が表側、他方が裏側となる折り重ね状態で糊付けすることにより封緘面として構成する紙箱において、上記表側の外フラップに、同フラップ根元側の両端部から先端側の中央部に向かって斜めに延びる開封用の破断線を設け、この両側の破断線の外側を上記裏側フラップに糊付けされる糊付け部分、内側の三角形部分を裏側フラップに対して糊付けされないフリーな開封部分として、この開封部分を、フラップ先端側から根元側に向かって破断し得るように構成したことを特徴とする紙箱。
【請求項２】
両側の破断線を円弧状にカーブして設けたことを特徴とする請求項１記載の紙箱。
【請求項３】
両側破断線のフラップ根元側端部を箱コーナー部よりも内側に設定したことを特徴とする請求項１または２記載の紙箱。
【請求項４】
両側破断線のフラップ根元側端部から箱コーナー部までの間に補助破断線を設けたことを特徴とする請求項３記載の紙箱。
【請求項５】
両側破断線のフラップ先端側の端部間に間隔を設けることによって開封つまみ部を形成したことを特徴とする請求項１乃至４のいずれか１項に記載の紙箱。
【請求項６】
両側糊付け部分のフラップ先端側における開封つまみ部の両側に切欠を設けたことを特徴とする請求項５記載の紙箱。
【請求項７】
裏側外フラップの先端側に手指が入る指掛け穴を設けたことを特徴とする請求項１乃至６のいずれか１項に記載の紙箱。
【請求項８】
相対向する二面を、内フラップと外フラップとが折り重ね状態で糊付けされる封緘面として構成し、両封緘面の外フラップに破断線と糊付け部分と開封部分を設けたことを特徴とする請求項１乃至７のいずれか１項に記載の紙箱。
【発明の詳細な説明】
【技術分野】
【０００１】
本発明は封緘面の一部を破り取って開封する紙箱に関するものである。
【背景技術】
【０００２】
本発明の対象となる紙箱は、図７〜図１２に示すように前面板１と、背面板２と、左右両側面板３,４と、底面板５と、上面板６とによって直方体状に構成され、前面、背面、左右両側面、底面、上面のうち少なくとも一面(通常は上面及び底面の一方または双方)が封緘面として構成される。
【０００３】
図示のように上面板６を封緘面とする場合を例にとって従来の技術を説明する。
【０００４】
封緘面を形成する上面板６は、左右両側面板３,４の各上端に一体に延設された内フラップ７,８を互いの先端が突き合わせ状態となるように内向きに折り曲げ、その上に、前面板１及び背面板２の各上端に一体に延設された外フラップ９,１０を、折り重ね、この折重ね部分で両外フラップ９,１０同士を糊付けして構成される。
【０００５】
ここで、従来の紙箱においては、開封用の二本の破断線(不連続の切り込み)１１,１１を表側外フラップ１０の中央部に、開き支点側の稜線Ｒ(同フラップ１０と背面板２の境目の稜線であって、図７,８のみを符号を付している。以下、前側稜線という)と平行にフラップ全幅に連続して設け、この両破断線１１,１１に挟まれた帯状部分１２を裏側外フラップ９に対して糊付けしない開封部分としている。
【０００６】
そして、開封時には、図９〜図１１に示すように開封部分１２を一端側から破り取り、その破断跡を手掛かりに表裏両側外フラップ９,１０を剥離して開く。
【発明の開示】
【発明が解決しようとする課題】
【０００７】
ところが、この従来技術によると、上記のように二本の破断線１１,１１を表側外フラップ１０の中央部に前側稜線Ｒと平行にフラップ全幅に亘り連続して設け、この両破断線１１,１１間に帯状の開封部分１２を形成するため、この開封部分１２を含む表側外フラップ１０の耐圧強度(曲げ強度)が著しく低下する。
【０００８】
このため、封緘状態で、図１２に示すように表側外フラップ１０(上面板６全体)が開封部分１２を中心として外向き山形に膨らむ現象が発生する。
【０００９】
とくに、図１２に示すように運搬過程で封緘面である上面が底となる向きで扱われた場合に、荷重(荷の重量)がかかってこの膨らみ(所謂底垂れ)がひどくなる。
【００１０】
こうなると、外観上の体裁が悪く、封緘の信頼性も低下するため、この点の改善が望まれていた。
【００１１】
なお、対策として破断線１１,１１を大きなピッチで浅い切り込みとして形成することによって封緘面(上面板６)の耐圧強度を高めることが考えられるが、こうすると開封時に開封部分１２が破り難くなるため、得策でない。
【００１２】
そこで本発明は、封緘面の耐圧強度を高めて封緘状態での膨らみを防止し、しかも開封操作が容易な紙箱を提供するものである。
【課題を解決するための手段】
【００１３】
請求項１の発明は、前面と背面と左右両側面と底面と上面の少なくとも一面について、一対ずつの内フラップと外フラップとを備え、かつ、両外フラップを一方が表側、他方が裏側となる折り重ね状態で糊付けすることにより封緘面として構成する紙箱において、上記表側の外フラップに、同フラップ根元側の両端部から先端側の中央部に向かって斜めに延びる開封用の破断線を設け、この両側の破断線の外側を上記裏側フラップに糊付けされる糊付け部分、内側の三角形部分を裏側フラップに対して糊付けされないフリーな開封部分として、この開封部分を、フラップ先端側から根元側に向かって破断し得るように構成したものである。
【００１４】
請求項２の発明は、請求項１の構成において、両側の破断線を円弧状にカーブして設けたものである。
【００１５】
請求項３の発明は、請求項１または２の構成において、両側破断線のフラップ根元側端部を箱コーナー部よりも内側に設定したものである。
【００１６】
請求項４の発明は、請求項３の構成において、両側破断線のフラップ根元側端部から箱コーナー部までの間に補助破断線を設けたものである。
【００１７】
請求項５の発明は、請求項１乃至４のいずれかの構成において、両側破断線のフラップ先端側の端部間に間隔を設けることによって開封つまみ部を形成したものである。
【００１８】
請求項６の発明は、請求項５の構成において、両側糊付け部分のフラップ先端側における開封つまみ部の両側に切欠を設けたものである。
【００１９】
請求項７の発明は、請求項１乃至６のいずれかの構成において、裏側外フラップの先端側に手指が入る指掛け穴を設けたものである。
【００２０】
請求項８の発明は、相対向する二面を、内フラップと外フラップとが折り重ね状態で糊付けされる封緘面として構成し、両封緘面の外フラップに破断線と糊付け部分と開封部分を設けたものである。
【発明の効果】
【００２１】
本発明によると、箱の少なくとも一面(請求項８では相対向する二面)について、二本の破断線を外フラップの開き支点側の稜線と交差して設けたから、開封部分が、両側糊付け部分に挟まれたフラップ幅方向の中央部のみに存在する。このため、開封部分がフラップ全幅に亘って設けられた従来の紙箱と比較して、開封部分を備えた外フラップ(ひいては封緘面全体)の耐圧強度を高めることができる。
【００２２】
その上、破断線を斜めに設けているため、外フラップの耐圧強度がさらに高められる。
【００２３】
この点により、開封部分を中心とする封緘面の膨らみを抑えることができる。
【００２４】
一方、開封時には開封部分を破断線に沿って破り取るだけでよいため、開封操作そのものは簡単ですむ。
【００２５】
ここで、請求項２の発明によると、破断線を円弧状にカーブして設けているため、直線状に形成した場合と比較して、封緘面の耐圧強度を一層高めることができ、相当の重量物を収容した場合でも封緘面の膨らみ(所謂底垂れ)を防止することができる。
【００２６】
ところで、破断線をフラップ根元側が箱コーナー部に至る状態で設けることは可能である。しかし、こうすると自動封緘機による封緘時に両側糊付け部分のフラップ根元側端部がエッジ状となってうまく折れずに糊付け状態が不確実になるおそれがある。
【００２７】
そこで、請求項３,４のように両側破断線のフラップ根元側端部を箱コーナー部よりも内側に設定することにより、両側糊付け部分のフラップ根元側に折り代を確保できるため、糊付け部分をうまく折り曲げ、かつ、裏側フラップに確実に糊付けすることができる。
【００２８】
この場合、請求項４のように、両側破断線のフラップ根元側端部から箱コーナー部までの間に補助破断線を設けておくことにより、上記のように開封部分を破り取ったときに、同時に、開封部分と両側糊付け部分が切り離されるため、開封操作が一層容易となる。
【００２９】
また、請求項５,６のように両側破断線のフラップ先端側の端部間に間隔を設けることによって開封つまみ部を形成すれば、開封時にこの開封つまみ部を手掛かりとしてさらに容易に開封することができる。
【００３０】
この場合、請求項６のように両側糊付け部分のフラップ先端側における開封つまみ部の両側に切欠を設ければ、開封つまみ部に手指を掛け易くなるため、開封操作がやり易くなる。
【００３１】
一方、請求項７の構成によると、開封後、裏側外フラップの指掛け穴に手指を掛けて裏側外フラップを容易に開くことができる。
【００３２】
また、請求項８の発明によると、箱の相対向する二面を封緘面として構成するため、自動封緘機による封緘の作業性が良いとともに、開封にも便利となる。さらに、両封緘面を開封することで箱の解体、廃棄にも便利となる。
【発明を実施するための最良の形態】
【００３３】
本発明の実施形態を図１〜図６によって説明する。
【００３４】
図１にこの紙箱の組立前の展開状態、図２に組立状態(封緘前の状態)、図３に封緘状態をそれぞれ示す。
【００３５】
この紙箱は、各図に示すように前面板２１と、背面板２２と、左右両側面板２３,２４と、底面板２５と、上面板２６とによって、上下両側が荷の出し入れ口として開口する直方体状に構成され、底面板２５によって形成される底面と、上面板２６によって形成される上面が封緘面として構成されている。
【００３６】
底面板２５及び上面板２６は、図１に示すようにそれぞれ左右両側面板２３,２４に一体に延設された内フラップ２７,２８と、前面板２１及び背面板２２に一体に延設された外フラップ２９,３０とによって構成され、図２,３に示す組立・封緘状態で表側となる外フラップ３０に不連続の切り込みである開封用の二本の破断線３１,３１が設けられている。
【００３７】
図２〜図６には、上面板２６を封緘面として扱う場合を例示しており、以下、図に従って上面板２６のみについて詳細な説明を加える。
【００３８】
上面板２６は、図２に示すように、内フラップ２７,２８を互いの先端が突き合わせ状態となるように内向きに折り曲げ、その上に外フラップ２９,３０を折り重ね、この折重ね部分で外フラップ２９,３０同士を糊付けして構成される。
【００３９】
この紙箱においては、両破断線３１,３１が表側外フラップ３０における根元側の両端部から先端側の中央部に向かって斜めに延びる状態で、かつ、内向き円弧状にカーブして設けられている。
【００４０】
そして、同フラップ３０におけるこの両側破断線３１,３１の外側の部分３２,３２を裏側フラップ２９に糊付けされる糊付け部分、内側の三角形部分３３を裏側フラップ２９に対して糊付けされないフリーな開封部分とし、図４〜図６に示すようにこの開封部分３３をフラップ先端側から根元側に向かって破断することによって開封し得るように構成されている。
【００４１】
このように、両破断線３１,３１を表側外フラップ３０の開き支点側の稜線Ｒ(図の複雑化を避けるため図２のみに符号を付している)と交差して設け、開封部分３３をフラップ幅方向の中央部に孤立した状態で設けているため、図７〜図１２に示すように開封部分１２をフラップ全幅に亘る帯状に設けた場合と比較して、開封部分３３を含む表側外フラップ３０全体、ひいては上面板２６全体の耐圧強度(曲げ強度)を格段に高めることができる。
【００４２】
その上、破断線３１,３１を斜めに、しかも円弧状にカーブして設けているため、外フラップ３０の耐圧強度をさらに高めることができる。
【００４３】
この点により、封緘状態における封緘面の外向きの膨らみ変形を抑えることができる。
【００４４】
一方、開封時には開封部分３３を破断線３１,３１に沿って破り取るだけでよいため、開封操作そのものは簡単ですむ。
【００４５】
ここで、両側破断線３１,３１は、そのフラップ根元側の端部が箱コーナー部Ｃ,Ｃに至る状態で設けてもよい。
【００４６】
しかし、こうすると自動封緘機による封緘時に、両側糊付け部分３２,３２のフラップ根元側端部がエッジ状となってうまく折れずに糊付け状態が不確実になるおそれがある。
【００４７】
そこで、この実施形態では、両側破断線３１,３１のフラップ根元側端部が箱コーナー部Ｃ,Ｃよりも内側に設定されるとともに、両側破断線３１,３１のフラップ根元側端部から箱コーナー部Ｃ,Ｃまでの間に補助破断線３４,３４(図１及び図３,４に示す)が設けられている。
【００４８】
こうすれば、両側糊付け部分３２,３２のフラップ根元側に折り代を確保できるため、自動封緘機によって糊付け部分３２,３２をうまく折り曲げ、かつ、裏側外フラップ２９に確実に糊付けすることができる。
【００４９】
しかも、図５に示すように開封部分３３を破り取ったときに、同時に、補助破断線３４,３４によって開封部分３３と両側糊付け部分３２,３２を切り離すことができる。
【００５０】
また、他の構成として、
(イ)  両側破断線３１,３１のフラップ先端側の端部間に間隔を設けることによって開封つまみ部３５が形成されている。こうすれば、開封時にこの開封つまみ部３５を手掛かりとして容易に開封することができる。
【００５１】
(ロ)  両側糊付け部分３２,３２のフラップ先端側における開封つまみ部３５の両側に切欠３６,３６が設けられている。こうすれば、切欠３６,３６によって開封つまみ部３５に手指を掛け易くなるため、開封操作がやり易くなる。
【００５２】
(ハ)  裏側外フラップ２９の先端側中央部に指掛け穴３７が設けられている。こうすれば、開封後、この指掛け穴３７に手指を掛けて裏側外フラップ２９を容易に開くことができる。
【００５３】
以上の上面板２６の構成は底面板２５についても全く同じであり、いずれか一方を選択して開封することができる。このため、箱の開封に便利となるとともに、両封緘面を開封することで箱の解体、廃棄がやり易くなる。また、自動封緘機による箱の封緘作業性も良くなる。
【００５４】
他の実施形態
(１)  上記実施形態では、前面板２１に裏側外フラップ２９、背面板２２に表側外フラップ３０を設けたが、逆に、前面板２１に表側外フラップ３０、背面板２２に裏側外フラップ２９を設けてもよい。
【００５５】
あるいは、両フラップ２９,３０を左右の側面板２２,２３に設け、前、背面板２１,２２に内フラップ２７,２８を設けてもよい。
【００５６】
(２)  上記実施形態では、底面と上面を封緘面として構成したが、箱全体の強度等の点で問題がなければ、他の相対向する二面(たとえば左右両側面)を封緘面として構成してもよいし、一面のみを封緘面として構成してもよい。
【００５７】
(３)  上記実施形態では、両側破断線３１,３１を内向き円弧状にカーブして設けたが、外向き円弧状にカーブして設けてもよい。あるいは、破断線３１,３１をカーブさせずに斜めの直線状に設けてもよい。
【図面の簡単な説明】
【００５８】
【図１】本発明の実施形態にかかる紙箱の展開図である。
【図２】組立状態(封緘前の状態)の斜視図である。
【図３】封緘状態の斜視図である。
【図４】開封始めの状態を示す斜視図である。
【図５】開封状態を示す斜視図である。
【図６】開封後に上面を開いた状態の斜視図である。
【図７】従来の紙箱の組立状態の斜視図である。
【図８】封緘状態の斜視図である。
【図９】開封始めの状態を示す斜視図である。
【図１０】開封状態を示す斜視図である。
【図１１】開封後に上面を開いた状態の斜視図である。
【図１２】上面が底となる状態での部分拡大断面図である。
【符号の説明】
【００５９】
２１  箱前面を形成する前面板
２２  箱背面を形成する背面板
２３,２４  箱左右両側面を形成する左右両側面板
２５  封緘面となる箱底面を形成する底面板
２６  封緘面となる箱上面を形成する上面板
２７,２８  上面板を構成する内フラップ
２９  同、裏側外フラップ
３０  同、表側外フラップ
３１,３１  破断線
３２,３２  糊付け部分
３３  開封部分
３４,３４  補助破断線
３５  開封つまみ部
３６,３６  切欠
３７  指掛け穴
【図１】
2005178873.tif 000003
【図２】
2005178873.tif 000004
【図３】
2005178873.tif 000005
【図４】
2005178873.tif 000006
【図５】
2005178873.tif 000007
【図６】
2005178873.tif 000008
【図７】
2005178873.tif 000009
【図８】
2005178873.tif 000010
【図９】
2005178873.tif 000011
【図１０】
2005178873.tif 000012
【図１１】
2005178873.tif 000013
【図１２】
2005178873.tif 000014